(57)【特許請求の範囲】
【請求項１】
ユーザが使用する複数のユーザ端末とネットワークを介して接続するとともに、前記ユーザに提供するユーザ個人用のアクセスメニューを管理するメニュー管理装置であって、
前記ユーザごとに所定のサイト情報にアクセスするための複数のアドレスないし情報を含む個人用のアクセスメニューを記憶する記憶手段と、
前記ユーザ端末からのアクセスにより前記記憶手段から該当するユーザに係るアクセスメニューを提供するメニュー提供手段と、
前記ユーザ端末から前記アクセスメニューに含まれた複数のアドレスないし情報のメニュー構成を編集した情報を取得することにより前記記憶手段に記憶されたアクセスメニューを編集したアクセスメニューに手動的に更新するメニュー手動更新手段と、
を備え、
前記アクセスメニューは、契約者のみに情報を提供する契約コンテンツ用のアドレスと、契約者以外の者に情報を提供する非契約コンテンツ用のアドレスと、を含むことを特徴とするメニュー管理装置。
【請求項２】
前記アクセスメニューにおけるアドレスは、１又は２以上のフォルダによって整理されていることを特徴とする請求項１記載のメニュー管理装置。
【請求項３】
前記メニュー管理装置は、前記ユーザ端末から送信されたキーワードに基づきサイト情報を検索しそのアクセス履歴を記憶する検索装置と接続可能であり、
前記アクセスメニューは、前記検索装置による検索サービス画面を含むことを特徴とする請求項１又は２記載のメニュー管理装置。
【請求項４】
前記記憶手段は、前記ユーザごとに個人用の嗜好に係るキーワードを記憶し、
前記検査装置から取得した該当するユーザのアクセス履歴及び前記記憶手段に記憶された前記キーワードに基づき前記アクセスメニューを個人の嗜好にあわせて自動的に更新するメニュー自動更新手段を備えることを特徴とする請求項３記載のメニュー管理装置。
【請求項５】
前記メニュー自動更新手段は、前記アクセス履歴に含まれるアドレスのうち前記アクセスメニューに含まれていないアドレスを自動的に前記アクセスメニューに追加することを特徴とする請求項４記載のメニュー管理装置。
【請求項６】
前記アクセスメニューは、定期的に更新されるサイト情報を含み、
前記メニュー自動更新手段は、定期的に更新される前記サイト情報を提供するサーバにアクセスし、前記アクセスメニューのサイト情報を新たに取得したサイト情報に更新することを特徴とする請求項４又は５記載のメニュー管理装置。
【請求項７】
前記ユーザ端末は、携帯移動端末であることを特徴とする請求項１乃至６のいずれか一に記載のメニュー管理装置。
【請求項８】
ユーザが使用する複数のユーザ端末とネットワークを介して接続する装置を用いて前記ユーザに提供するユーザ個人用のアクセスメニューを管理するメニュー管理方法であって、
前記ユーザごとに所定のサイト情報にアクセスするための複数のアドレスないし情報を含む個人用のアクセスメニューを記憶する工程と、
前記ユーザ端末からのアクセスにより前記記憶手段から該当するユーザに係るアクセスメニューを提供する工程と、
前記ユーザ端末から前記アクセスメニューに含まれた複数のアドレスないし情報のメニュー構成を編集した情報を取得することにより前記記憶手段に記憶されたアクセスメニューを編集したアクセスメニューに手動的に更新する工程と、
を含み、
前記アクセスメニューは、契約者のみに情報を提供する契約コンテンツ用のアドレスと、契約者以外の者に情報を提供する非契約コンテンツ用のアドレスと、を含むことを特徴とするメニュー管理方法。
【請求項９】
前記ユーザごとに個人用の嗜好に係るキーワードを記憶する工程と、
前記ユーザ端末から送信されたキーワードに基づきサイト情報を検索しそのアクセス履歴を記憶する検索装置から取得した該当するユーザのアクセス履歴及び記憶された前記キーワードに基づき前記アクセスメニューを個人の嗜好にあわせて自動的に更新する工程と、
を含むことを特徴とする請求項８記載のメニュー管理方法。
【請求項１０】
前記アクセス履歴に含まれるアドレスのうち前記アクセスメニューに含まれていないアドレスを自動的に前記アクセスメニューに追加する工程を含むことを特徴とする請求項９記載のメニュー管理方法。
【請求項１１】
前記アクセスメニューは、定期的に更新されるサイト情報を含み、
定期的に前記サイト情報を提供するサーバにアクセスし、前記アクセスメニューのサイト情報を新たに取得したサイト情報に更新する工程を含むことを特徴とする請求項８乃至１０のいずれか一に記載のメニュー管理方法。
【請求項１２】
ユーザが使用する複数のユーザ端末とネットワークを介して接続する装置を用いて前記ユーザに提供するユーザ個人用のアクセスメニューを管理させるメニュー管理プログラムであって、
前記ユーザごとに所定のサイト情報にアクセスするための複数のアドレスないし情報を含む個人用のアクセスメニューを記憶するステップと、
前記ユーザ端末からのアクセスにより前記記憶手段から該当するユーザに係るアクセスメニューを提供するステップと、
前記ユーザ端末から前記アクセスメニューに含まれた複数のアドレスないし情報のメニュー構成を編集した情報を取得することにより前記記憶手段に記憶されたアクセスメニューを編集したアクセスメニューに手動的に更新するステップと、
を実行させ、
前記アクセスメニューは、契約者のみに情報を提供する契約コンテンツ用のアドレスと、契約者以外の者に情報を提供する非契約コンテンツ用のアドレスと、を含むことを特徴とするメニュー管理プログラム。
【請求項１３】
前記ユーザごとに個人用の嗜好に係るキーワードを記憶するステップと、
前記ユーザ端末から送信されたキーワードに基づきサイト情報を検索しそのアクセス履歴を記憶する検索装置から取得した該当するユーザのアクセス履歴及び記憶された前記キーワードに基づき前記アクセスメニューを個人の嗜好にあわせて自動的に更新するステップと、
を実行させることを特徴とする請求項１２記載のメニュー管理プログラム。
【請求項１４】
前記アクセス履歴に含まれるアドレスのうち前記アクセスメニューに含まれていないアドレスを自動的に前記アクセスメニューに追加するステップを実行させることを特徴とする請求項１３記載のメニュー管理プログラム。
【請求項１５】
前記アクセスメニューは、定期的に更新されるサイト情報を含み、
定期的に前記サイト情報を提供するサーバにアクセスし、前記アクセスメニューのサイト情報を新たに取得したサイト情報に更新するステップを実行させることを特徴とする請求項１２乃至１４のいずれか一に記載のメニュー管理プログラム。
【発明の詳細な説明】
【０００１】
【発明の属する技術分野】
本発明は、携帯移動端末向けの個人用Ｗｅｂアクセスメニューを管理するメニュー管理装置、方法及びプログラムに関する。
【０００２】
【従来の技術】
従来の移動通信網におけるＷｅｂアクセス用のメニューは、大別すると携帯移動端末のブックマーク機能とキャリア（電気通信事業者）及びコンテンツプロバイダが提供するものがあった。また、キャリアが提供する個人用のＷｅｂアクセスメニューには契約コンテンツ（多くは月極有料のコンテンツ）へのリンク情報のみが登録できた。
【０００３】
【発明が解決しようとする課題】
しかし、この従来の方式には、次のような問題点があった。
【０００４】
第１の問題点は、契約コンテンツ／非契約コンテンツを併せたリンク情報を携帯移動端末の一画面で表示することができないことである。その理由は、キャリアが提供する個人用のＷｅｂアクセスメニューには契約コンテンツへのリンク情報しか登録できないためである。
【０００５】
第２の問題点は、新着情報、お勧めコンテンツ等の自動更新を伴う情報は携帯移動端末ユーザの嗜好に関わらず全ての情報が提供されているということである。その理由は、携帯移動端末におけるブックマーク機能には自動更新機能が実装されておらず、また、キャリア及びコンテンツプロバイダが提供するそれらの情報は全てのユーザを対象とするためである。
【０００６】
本発明の第１の目的は、契約コンテンツ／非契約コンテンツを併せたリンク情報へのアクセスを容易にするメニュー管理装置、方法及びプログラムを提供することである。
【０００７】
本発明の第２の目的は、個人用のＷｅｂアクセスメニューの適切な自動更新が可能なメニュー管理装置、方法及びプログラムを提供することである。
【０００８】
【課題を解決するための手段】
本発明の第１の視点においては、ユーザが使用する複数のユーザ端末とネットワークを介して接続するとともに、前記ユーザに提供するユーザ個人用のアクセスメニューを管理するメニュー管理装置であって、前記ユーザごとに所定のサイト情報にアクセスするための複数のアドレスないし情報を含む個人用のアクセスメニューを記憶する記憶手段と、
前記ユーザ端末からのアクセスにより前記記憶手段から該当するユーザに係るアクセスメニューを提供するメニュー提供手段と、前記ユーザ端末から前記アクセスメニューに含まれた複数のアドレスないし情報のメニュー構成を編集した情報を取得することにより前記記憶手段に記憶されたアクセスメニューを編集したアクセスメニューに手動的に更新するメニュー手動更新手段と、を備え、前記アクセスメニューは、契約者のみに情報を提供する契約コンテンツ用のアドレスと、契約者以外の者に情報を提供する非契約コンテンツ用のアドレスと、を含むことを特徴とする。
【００１０】
また、前記メニュー管理装置において、前記アクセスメニューにおけるアドレスは、１又は２以上のフォルダによって整理されていることが好ましい。
【００１１】
また、前記メニュー管理装置において、前記メニュー管理装置は、前記ユーザ端末から送信されたキーワードに基づきサイト情報を検索しそのアクセス履歴を記憶する検索装置と接続可能であり、前記アクセスメニューは、前記検索装置による検索サービス画面を含むことが好ましい。
【００１２】
また、前記メニュー管理装置において、前記記憶手段は、前記ユーザごとに個人用の嗜好に係るキーワードを記憶し、前記検査装置から取得した該当するユーザのアクセス履歴及び前記記憶手段に記憶された前記キーワードに基づき前記アクセスメニューを個人の嗜好にあわせて自動的に更新するメニュー自動更新手段を備えることが好ましい。
【００１３】
また、前記メニュー管理装置において、前記メニュー自動更新手段は、前記アクセス履歴に含まれるアドレスのうち前記アクセスメニューに含まれていないアドレスを自動的に前記アクセスメニューに追加することが好ましい。
【００１４】
また、前記メニュー管理装置において、前記アクセスメニューは、定期的に更新されるサイト情報を含み、前記メニュー自動更新手段は、定期的に前記サイト情報を提供するサーバにアクセスし、前記アクセスメニューのサイト情報を新たに取得したサイト情報に更新することが好ましい。
【００１５】
また、前記メニュー管理装置において、前記ユーザ端末は、携帯移動端末であることが好ましい。
【００１６】
本発明の第２の視点において、ユーザが使用する複数のユーザ端末とネットワークを介して接続する装置を用いて前記ユーザに提供するユーザ個人用のアクセスメニューを管理するメニュー管理方法であって、前記ユーザごとに所定のサイト情報にアクセスするための複数のアドレスないし情報を含む個人用のアクセスメニューを記憶する工程と、前記ユーザ端末からのアクセスにより前記記憶手段から該当するユーザに係るアクセスメニューを提供する工程と、前記ユーザ端末から前記アクセスメニューに含まれた複数のアドレスないし情報のメニュー構成を編集した情報を取得することにより前記記憶手段に記憶されたアクセスメニューを編集したアクセスメニューに手動的に更新する工程と、を含み、前記アクセスメニューは、契約者のみに情報を提供する契約コンテンツ用のアドレスと、契約者以外の者に情報を提供する非契約コンテンツ用のアドレスと、を含むことを特徴とする。
【００１７】
本発明の第３の視点において、ユーザが使用する複数のユーザ端末とネットワークを介して接続する装置を用いて前記ユーザに提供するユーザ個人用のアクセスメニューを管理させるメニュー管理プログラムであって、前記ユーザごとに所定のサイト情報にアクセスするための複数のアドレスないし情報を含む個人用のアクセスメニューを記憶するステップと、前記ユーザ端末からのアクセスにより前記記憶手段から該当するユーザに係るアクセスメニューを提供するステップと、前記ユーザ端末から前記アクセスメニューに含まれた複数のアドレスないし情報のメニュー構成を編集した情報を取得することにより前記記憶手段に記憶されたアクセスメニューを編集したアクセスメニューに手動的に更新するステップと、を実行させ、前記アクセスメニューは、契約者のみに情報を提供する契約コンテンツ用のアドレスと、契約者以外の者に情報を提供する非契約コンテンツ用のアドレスと、を含むことを特徴とする。
【００１８】
【発明の実施の形態】
ユーザが使用する複数のユーザ端末（図１の１０）とネットワーク（図１の５０）を介して接続するとともに、前記ユーザに提供するユーザ個人用のアクセスメニューを管理するメニュー管理装置（図１の２０）であって、前記ユーザごとに所定のサイト情報にアクセスするための複数のアドレスないし情報を含む個人用のアクセスメニューを記憶する記憶手段（図１の２２）と、前記ユーザ端末からのアクセスにより前記記憶手段から該当するユーザに係るアクセスメニューを提供するメニュー提供手段（図１の２１２）と、前記ユーザ端末から前記アクセスメニューに含まれた複数のアドレスないし情報のメニュー構成を編集した情報を取得することにより前記記憶手段に記憶されたアクセスメニューを編集したアクセスメニューに手動的に更新するメニュー手動更新手段（図１の２１３）と、を備え、前記アクセスメニューは、契約者のみに情報を提供する契約コンテンツ用のアドレスと、契約者以外の者に情報を提供する非契約コンテンツ用のアドレスと、を含むことにより、画面サイズやアクセス先ＵＲＬの記憶（ブックマーク）機能に依存せずＷｅｂアクセス機能を持つ携帯移動端末に個人用のＷｅｂアクセスメニューを提供することができる。
【００１９】
本発明の別の実施の形態において、メニュー管理装置における各処理は、装置を構成するコンピュータ上でプログラムを実行することで実現される。この場合、上記プログラムを記録した記録媒体（フレキシブルディスク、ハードディスク等の磁気ディスク、磁気テープ、またはＣＤ（ｃｏｍｐａｃｔ  ｄｉｓｋ）−ＲＯＭ、ＤＶＤ（ｄｉｇｉｔａｌ  ｖｅｒｓａｔｉｌｅ  ｄｉｓｋ）等の光ディスク、もしくは、半導体メモリ等）から該プログラムを、該記録媒体の機械読み出し装置及びインタフェースを介して該コンピュータに読み出し、主記憶にロードして実行することで、本発明を実施することができる。あるいは、該コンピュータに、有線または無線ネットワーク媒体と、通信インタフェースを介して、他のコンピュータの記憶装置から上記プログラムを伝送し、上記プログラムを該コンピュータにインストールし、主記憶にロードして実行するようにしてもよい。
【００２０】
【実施例】
本発明の実施例１について図面を用いて説明する。図１は、本発明の実施例１に係るメニュー管理装置の構成を模式的に示したブロック図である。
【００２１】
図１を参照すると、このメニュー管理装置２０は、ネットワーク５０を介して携帯移動端末１０Ａ、１０Ｂ、１０Ｃ、Ｗｅｂサーバ４０と接続し、検索装置３０と直接又はネットワーク５０を介して間接的に接続する。メニュー管理装置２０は、大まかにコンピュータ部２１と、記憶部２２と、を有する。
【００２２】
コンピュータ部２１は、各機能手段のプログラム制御やデータ処理を行なうプロセッサ２１１を有し、メニュー提供手段２１２と、メニュー手動更新手段２１３と、メニュー自動更新手段２１４と、を有する。
【００２３】
メニュー提供手段２１２は、携帯移動端末１０からのＷｅｂアクセスメニュー表示の要求に対し、記憶部２２に記憶されているその携帯移動端末ユーザに係るＷｅｂアクセスメニューを読み出し、携帯移動端末に返送する。
【００２４】
メニュー手動更新手段２１３は、携帯移動端末１０からのＷｅｂアクセスメニューの更新の要求（ＵＲＬの追加、削除、移動、並び替え、ＵＲＬに係る名前の変更、フォルダの作成などをした情報）を受信することにより記憶部２２に記憶されている該当する携帯移動端末ユーザに係るＷｅｂアクセスメニューの個人メニューを更新する。
【００２５】
メニュー自動更新手段２１４は、定期的に検索装置３０から該当する携帯移動端末ユーザの過去のアクセス履歴を取得し、記憶部２２に記憶された嗜好に係るキーワードを取得し、これらに基づきアクセスメニューを個人の嗜好にあわせて自動的に更新する。また、アクセス履歴に含まれるアドレスのうち前記アクセスメニューに含まれていないアドレスを自動的に前記アクセスメニューに追加する。また、アクセス履歴に係るＵＲＬに基づいて該当するＷｅｂサーバ４０から新しいお勧めサイト情報、広告を取得し、自動的に該当する携帯移動端末ユーザに係るＷｅｂアクセスメニューのお勧めメニューおけるお勧めサイト情報、広告を新しいものに更新する。さらに、定期的に前記サイト情報を提供するサーバにアクセスし、前記アクセスメニューのサイト情報を新たに取得したサイト情報に更新する。
【００２６】
記憶部２２は、各携帯移動端末ユーザに係るＷｅｂアクセスメニュー情報を記憶する。Ｗｅｂアクセスメニュー情報は、プロバイダリスト、個人メニュー、お勧めメニュー、契約コンテンツ、お知らせ、ツール等のＷｅｂメニューを蓄積する。また、記憶部２２は、予めユーザにより登録されたキーワードを含む嗜好情報を蓄積する
【００２７】
プロバイダリスト、個人メニュー、お勧めメニュー、契約コンテンツには、各ＵＲＬに係る名前が整理されて蓄積されている。お知らせには、プロバイダからのお知らせ情報が蓄積されている。ツールには、メニューの手動更新に必要なＵＲＬの追加、削除、移動、並び替え、ＵＲＬに係る名前の変更、フォルダの作成などのメニューが蓄積されている。
【００２８】
携帯移動端末１０Ａ、１０Ｂ、１０Ｃは、ネットワーク５０上の無線基地局に接続可能な携帯電話機などである。
【００２９】
検索装置３０は、ユーザが携帯移動端末１０において入力したキーワードに基づき検索し、その結果に基づきアクセスしたＵＲＬ、日時を含むアクセス履歴を記憶し管理する装置である。
【００３０】
Ｗｅｂサーバ４０は、インターネット上でＷｅｂ情報を提供するサーバである。
【００３１】
ネットワーク５０は、無線基地局、交換局、電話回線、インターネットなどの情報通信網である。
【００３２】
次に、実施例１の動作について図面を用いて説明する。図２は、本発明の実施例１に係るメニュー管理装置の手動更新を示したフローチャートである。図３は、本発明の実施例１に係るメニュー管理装置の自動更新を示したフローチャートである。
【００３３】
最初に図１及び図２を参照してメニュー提供手段２１２とメニュー手動更新手段２１３の動作について説明する。
【００３４】
まず、携帯移動端末１０からの個人用のＷｅｂアクセスメニューの提供の要求をメニュー管理装置２０のコンピュータ部２１が受け付ける（図２のステップＡ１）。次に、コンピュータ部２１は記憶部２２内の該当する携帯移動端末ユーザのＷｅｂアクセスメニューを検索し、該当携帯移動端末ユーザのメニューがあった場合には、そのメニューを携帯移動端末１０に返送する（ステップＡ２）。携帯移動端末１０はこのメニューを受信することにより、携帯移動端末１０の表示画面に個人用のＷｅｂアクセスメニューが表示され、そのメニューを利用したＷｅｂアクセスが可能となる。その後、ユーザはこのメニューを使用して携帯移動端末１０からＷｅｂ情報に適宜アクセスする。
【００３５】
次に、ユーザがアクセスしたＷｅｂ情報の中に新たにブックマークしたいものがあったり、削除したいものがあるなどメニューを編集したい場合は、ユーザは自己の個人用Ｗｅｂアクセスメニューを携帯移動端末１０上でＵＲＬの追加、削除、移動、並び替え、ＵＲＬに係る名前の変更、フォルダの作成などの編集をして、編集したメニュー画面に基づきＷｅｂアクセスメニューの更新の要求を携帯移動端末１０からメニュー管理装置２０に送信し、メニュー管理装置２０のコンピュータ部２１が受け付けた場合（ステップＢ１）、コンピュータ部２１は更新の要求内容に基づき記憶部２２内の該当携帯移動端末ユーザのメニューを更新し、更新結果を携帯移動端末１０に返送する（ステップＢ２）。
【００３６】
次に、図１及び図３を参照してメニュー自動更新手段２１４の動作について説明する。
【００３７】
先ず、メニュー管理装置２０のコンピュータ部２１は定期的に検索装置３０に該当ユーザの過去のＷｅｂアクセス履歴から特定される嗜好情報を問い合わせる（ステップＣ１）。また、メニュー管理装置２０には、予めユーザにより登録された嗜好情報を保持しており、この２つのユーザ嗜好情報に基づきメニューに登録されていないＵＲＬを抽出し、記憶部２２内の該当ユーザに係るメニューの所定の場所（例えば、お勧めメニュー）に自動的に追加する（ステップＣ２）。更に、更新すべき情報がＷｅｂサーバ４０に問い合わせる必要があればＷｅｂサーバ４０に問い合わせ、その応答情報に基づいて記憶部２２内の該当するユーザに係るメニューの中の情報（例えば、天気予報）を自動的に更新する（ステップＣ３）。
【００３８】
なお、携帯移動端末とメニュー管理装置間のプロトコルは、携帯移動端末の画面情報を記述する言語が例えばＨＴＭＬであった場合には、ＨＴＴＰプロトコルが適用される。
【００３９】
次に、携帯移動端末の画面イメージ例を用いて説明する。図４は、本発明の実施例１に係る携帯移動端末のメニュー画面を模式的に示したイメージ図である。
【００４０】
図４を参照すると、携帯移動端末１０の「Ｗｅｂメニュー画面」に「個人メニュー」と「お勧めメニュー」が表示されている。ユーザが「個人メニュー」を選択し「決定」すると、携帯移動端末１０からメニュー管理装置２０に「個人メニュー」の読み出し要求が送出され、メニュー管理装置２０は「個人メニュー画面」を返送することで、携帯移動端末１０の画面に「個人メニュー画面」が表示される。
【００４１】
「個人メニュー画面」は契約コンテンツ、非契約コンテンツのみを一画面に表示する画面（個人メニュー画面イメージ１参照）やメニュー管理装置２０が提供する各種サービスを併せた画面（個人メニュー画面イメージ２参照）等をユーザの好みで編集された画面がユーザ毎に提供される。契約コンテンツ名の横には、「[契約]」の表示が付されている。
【００４２】
また、「Ｗｅｂメニュー」の「お勧めメニュー」を選択し「決定」した場合にも同様に「お勧めメニュー画面」が携帯移動端末１０に表示される。
【００４３】
なお、「個人メニュー画面イメージ２」における「３．天気予報」と、「お勧めメニュー」における各メニューは自動更新情報であり、メニュー管理装置２０にて随時自動更新される。その他の「個人メニュー」内の項目はユーザ手動更新情報であり、「個人メニュー」の編集ボタンを利用し、ＵＲＬの追加、削除、名前の変更などの編集が可能な項目である。
【００４４】
次に、メニューの階層化例を図面を用いて説明する。図５は、本発明の実施例１に係る携帯移動端末のメニュー多層化画面を模式的に示したイメージ図である。
【００４５】
「個人メニュー」（第１階層画面）の「４．お店リンク」の横にはフォルダを示す「＞＞」の表示が付されている。ユーザが「４．お店リンク」を選択すると、お店リンクの内容を示す第２階層画面が表示される。更に、第２階層画面内の「１．パソコン店」を選択すると、実際のパソコン店のリンク情報が第３階層画面で表示される。
【００４６】
次に、本発明の他の実施例について詳細に説明する。
【００４７】
自動更新情報としては、図４にあげた天気予報の他にニュース、スポーツ速報、ランキング（音楽、映画、雑誌、等）等がある。
【００４８】
また、移動網の携帯移動端末に関わらず、固定網の固定端末（パソコン等）にも個人用のＷｅｂアクセスメニューを提供できる。
【００４９】
【発明の効果】
第１の効果は、個人メニュー管理装置が個人用Ｗｅｂアクセスメニューに契約コンテンツへのリンク情報と非契約コンテンツへのリンク情報を併せ持つことにある。その理由は、契約コンテンツ／非契約コンテンツに関わらずユーザが頻繁に使用するコンテンツへのリンク情報を携帯移動端末の一画面で表示できるからである。
【００５０】
第２の効果は、個人用Ｗｅｂアクセスメニューに個人メニュー管理装置が自動更新する情報を提供できることにある。その理由は、個人用のＷｅｂアクセスメニューを携帯移動端末ではなくメニュー管理装置が管理し、かつ、メニュー管理装置が自動更新機能を有するからである。
【００５１】
第３の効果は、携帯移動端末の能力や機能に依存せずにメニュー管理装置提供サービスがＷｅｂアクセス可能な全ての携帯移動端末に提供できることにある。その理由は、携帯移動端末からのＷｅｂアクセスメニューの読み出し手順が一般のコンテンツアクセス手順と同じだからある。
【図面の簡単な説明】
【図１】本発明の実施例１に係るメニュー管理装置の構成を模式的に示したブロック図である。
【図２】本発明の実施例１に係るメニュー管理装置の手動更新を示したフローチャートである。
【図３】本発明の実施例１に係るメニュー管理装置の自動更新を示したフローチャートである。
【図４】本発明の実施例１に係る携帯移動端末のメニュー画面を模式的に示したイメージ図である。
【図５】本発明の実施例１に係る携帯移動端末のメニュー多層化画面を模式的に示したイメージ図である。
【符号の説明】
１０Ａ、１０Ｂ、１０Ｃ  携帯移動端末
２０  メニュー管理装置
２１  コンピュータ部
２１１  プロセッサ
２１２  メニュー提供手段
２１３  メニュー手動更新手段
２１４  メニュー自動更新手段
２２  記憶部
３０  検索装置
４０  Ｗｅｂサーバ
５０  ネットワーク
【図１】
0003667654.tif 000002
【図２】
0003667654.tif 000003
【図３】
0003667654.tif 000004
【図４】
0003667654.tif 000005
【図５】
0003667654.tif 000006